(57)【要約】【課題】通信装置がなんらかの機能を実行している最中に来訪者の訪問があっても、来訪者の大事なメッセージを残すことを可能とすることで、安心して外出が楽しめるドアホン装置を提供する。【解決手段】電話装置５０がなんらかの機能を実行していて、ドアホン装置の屋内親機２０からの音声データが電話装置５０の音声蓄積部に格納できない状態であるときに、ドアホン装置の屋内親機２０から所定の機能が作動中か否かを問い合わせる問い合わせ通知が通信線Ｃを介して予め送信され、その応答に応じてドアホン装置の屋内親機２０が音声データの送信の可否を判定するので、ドアホン装置の屋内親機２０から電話装置５０へ音声データを確実に送り込むことが可能となる。よって電話回線Ｔからの着信と、来訪者からの訪問とが重なっても、大事なメッセージを残すことが可能である。【選択図】図１
2006340040.tif 000002
【特許請求の範囲】
【請求項１】
音声蓄積機能付き通信装置と接続可能なドアホン装置であって、
当該ドアホン装置は、マイク及びスピーカをそれぞれ有する子機及び親機を備え、
当該子機は、
来訪者が押下する呼び出しボタンを有する操作部と、
前記呼び出しボタンの押下を検知する押下検出部と、を備え、
前記親機は、
前記来訪者の音声を音声データとして格納する音声記憶部と、
前記子機の押下検出部が前記呼び出しボタンの押下を検出して前記子機のマイクから来訪者の音声が入力されると、前記音声記憶部に格納するとともに、上記通信装置の所定の機能が作動中か否かを問い合わせる問い合わせ通知を上記通信装置へ送信し、
上記問い合わせ通知の応答が非作動中である旨の通知であれば、前記音声記憶部に格納された音声データを、上記通信装置に設けられた音声蓄積部に蓄積を要求する通知とともに上記通信装置へ送信する制御部と、を備えたことを特徴とするドアホン装置。
【請求項２】
前記制御部は、上記通信装置の所定の機能が作動中か否かを問い合わせる問い合わせ通知を上記通信装置へ送信し、上記問い合わせ通知の応答が作動中である旨の通知であれば、前記音声記憶部に格納された音声データを、所定時間経過後、再度、上記通信装置の音声蓄積部に蓄積を要求する通知を上記通信装置へ送信する請求項１記載のドアホン装置。
【請求項３】
前記制御部は、上記通信装置へ音声データを送信するときに、電話回線からの音声データと識別するための所定のデータを含めて送信することを特徴とする請求項１記載のドアホン装置。
【請求項４】
前記音声データを音声認識して文字データを生成する音声認識部を備え、
前記制御部は、前記音声データとともに前記文字データを前記通信装置へ送信することを特徴とする請求項１記載のドアホン装置。
【発明の詳細な説明】
【技術分野】
【０００１】
本発明は、来訪者からのメッセージを通信装置に蓄積するドアホン装置に関する。
【背景技術】
【０００２】
従来、玄関先に設置されて、来訪者が呼び出しボタンを押下することで居住者に来訪を知らせるドアホン装置がある。居住者は、チャイム等の報知により来訪者の有無を認識することができるとともに、インターホン機能を使って、来訪者の会社名や名前および来訪の目的を玄関を開けることなく知ることができる。しかし、居住者が留守をしている場合には、チャイムが鳴っても応答する者がいないため、誰が訪ねてきたのか分からない。そのようなときに来訪者の音声を録音できれば、居住者が留守にしていても帰宅してからその録音された音声を確認することで、例えば、その日の来訪者の有無が確認できるため便利である。
【０００３】
ところで、通信装置の一つである電話装置では、居住者が留守のときでも着信があると通話相手のメッセージが録音できる留守番機能付きの普及が一段と進み、ほとんどの家庭に備えられており、このような電話回線からのメッセージと、来訪者のメッセージとを留守番機能付き電話装置に録音可能とし、上記二つの種類のメッセージを一元管理するものが（特許文献１）に記載されている。特許文献１に記載の留守番録音装置は、インターホン回線、または電話回線を回線切換部で切り換えて、それぞれからの音声を留守番電話機に録音するときに、どちらの録音かが識別可能な識別信号を留守番電話機に録音させて、聴音したときに容易に識別できるようにしたものである。
【特許文献１】実開平５−４３６５２号公報
【発明の開示】
【発明が解決しようとする課題】
【０００４】
しかし、（特許文献１）に記載の留守番録音装置は、インターホン回線と電話回線とを切り換えて使用するものなので、例えば、電話回線からの着信があったときに来訪者の訪問があると、来訪者のメッセージが録音できない。つまり、電話回線からの着信と、来訪者の訪問とが同時に発生すると、一方を録音していると他方が録音できないという不都合が生じる。従って、電話回線からの通話相手からのメッセージや、または来訪者からのメッセージが録音できないために、居住者にとって重要なメッセージが残らないことによる影響は大きいと思われる。そうなると居住者は安心して外出することもできない。
【０００５】
そこで、本発明は、電話回線からのメッセージと来訪者からのメッセージとを確実に一元管理するドアホン装置を提供することを目的とする。
【課題を解決するための手段】
【０００６】
本発明のドアホン装置は、音声蓄積機能付き通信装置と接続可能なドアホン装置であって、来訪者が押下する呼び出しボタンを有する操作部と、前記呼び出しボタンの押下を検知する押下検出部と、上記来訪者の音声を音声データとして格納する音声記憶部と、前記押下検出部が前記呼び出しボタンの押下を検出して、マイクから来訪者の音声が入力されると、前記音声記憶部に格納するとともに、上記通信装置の所定の機能が作動中か否かを問い合わせる問い合わせ通知を上記通信装置へ送信し、上記問い合わせ通知の応答が非作動中である旨の通知であれば、上記音声記憶部に格納された音声データを、前記通信装置に設けられた音声蓄積部に蓄積を要求する通知とともに前記通信装置へ送信する制御部とを備えたことを特徴とする。
【発明の効果】
【０００７】
本発明は、音声蓄積機能付きの通信装置がなんらかの機能を実行していて、ドアホン装置からの音声データが通信装置の音声蓄積部に格納できない状態であるときに、ドアホン装置から所定の機能が作動中か否かを問い合わせる問い合わせ通知が予め送信され、その応答に応じてドアホン装置が音声データの送信の可否を判定するので、ドアホン装置から通信装置へ音声データを確実に送り込むことが可能となる。よって通信装置がなんらかの機能を実行している最中に来訪者の訪問があっても、来訪者の大事なメッセージを残して一元管理することが可能である。
【発明を実施するための最良の形態】
【０００８】
第１の発明においては、音声蓄積機能付き通信装置と接続可能なドアホン装置であって、来訪者が押下する呼び出しボタンを有する操作部と、呼び出しボタンの押下を検知する押下検出部と、来訪者の音声を音声データとして格納する音声記憶部と、押下検出部が呼び出しボタンの押下を検出して、マイクから来訪者の音声が入力されると、音声記憶部に格納するとともに、通信装置の所定の機能が作動中か否かを問い合わせる問い合わせ通知を通信装置へ送信し、問い合わせ通知の応答が非作動中である旨の通知であれば、音声記憶部に格納された音声データを、通信装置に設けられた音声蓄積部に蓄積を要求する通知とともに通信装置へ送信する制御部とを備えたことを特徴としたものである。この構成により、通信装置に所定の機能が作動中か否かを問い合わせる問い合わせ通知を送信し、その問い合わせ通知の応答が非作動中である旨の通知であれば、音声記憶部に格納された音声データを、通信装置に設けられた音声蓄積部に蓄積を要求する通知とともに通信装置へ送信するので、通信装置が所定の状態、例えば、電話回線からのメッセージを録音しているなど、ドアホン装置からの音声データを受信することができない状態における通信装置への音声データ送信を防止する。
【０００９】
第２の発明においては、前記制御部は、上記通信装置の所定の機能が作動中か否かを問い合わせる問い合わせ通知を上記通信装置へ送信し、上記問い合わせ通知の応答が作動中である旨の通知であれば、前記音声記憶部に格納された音声データを、所定時間経過後、再度、上記通信装置の音声蓄積部に蓄積を要求する通知を上記通信装置へ送信する。この構成により、制御部が問い合わせ通知を送った後、問い合わせ通知の応答が非動作中であっても、再度、所定時間後問い合わせ通知を送信する。
【００１０】
第３の発明においては、前記制御部は、上記通信装置へ音声データを送信するときに、電話回線からの音声データと識別するための所定のデータを含めて送信する。この構成により、当該音声データを再生する場合、訪問者のメッセージと電話回線から入手したメッセージとが区別される。
【００１１】
第４の発明においては、前記音声データを音声認識して文字データを生成する音声認識部を備え、前記制御部は、前記音声データとともに前記文字データを前記通信装置へ送信する。この構成により、音声データと文字データとの二つの種類のデータを同時に送信する。
【００１２】
（実施の形態）
本発明の実施の形態に係るドアホン装置を、まず図１に基づいて説明する。図１は、本発明の実施の形態に係るドアホン装置と通信装置の一例である電話装置とが接続された構成を説明する図である。
【００１３】
図１に示すように、居住者の家屋にドアホン装置と、通信装置の一例である電話装置５０とが設けられている。ドアホン装置は、門扉傍や玄関などの屋外に設置される屋外子機１と、屋内に設置される屋内親機２０とで構成されている。屋内親機２０は、電話回線Ｔと接続される音声蓄積機能付き電話装置５０と通信線Ｃで接続されている。電話装置５０は、音声蓄積機能を有するとともに、ファクシミリ機能を有している。
【００１４】
次に、本発明の実施の形態に係るドアホン装置の構成について、図２から図７に基づいて説明する。まず屋外子機１の構成を図２から図４に基づいて説明する。図２は、本発明の実施の形態に係るドアホン装置の屋外子機１の外観図である。図３は、本発明の実施の形態に係るドアホン装置の屋外子機１の機能ブロック図である。図４は、本発明の実施の形態に係るドアホン装置の屋外子機１の回路ブロック図である。
【００１５】
図２に示すように、屋外子機１は、ケース２が正面視して矩形状に形成され、来訪者が押下することで呼び出しのチャイムが鳴動する呼び出しボタン３と、来訪者を撮像するカメラ４と、来訪者の音声を入力するマイク５と、居住者の音声を発声するスピーカ６と、録音中であることを来訪者に報知するＬＥＤ（Ｌｉｇｈｔ  Ｅｍｉｔｔｉｎｇ  Ｄｉｏｄｅ）などのランプ７とを備え、屋外に設置されるため耐候性を有している。
【００１６】
図３に示すように、屋外子機１は、押下検出部１０と、記憶部１１と、インタフェース部１２と、音声出力制御部１３と、音声入力制御部１４と、映像制御部１５と、主制御部１６とを備えている。押下検出部１０は、来訪者が呼び出しボタン３を押下すると、その押下を検知して主制御部１６へ通知する。記憶部１１は、主制御部１６が実行するプログラムや設定が格納される不揮発性メモリと、このプログラムが作業領域として主制御部１６から読み書き可能なメモリとで構成されている。インタフェース部１２は、屋内親機２０へ来訪者の音声データや撮像データを送信したり、居住者からの音声データを受信したりする通信手段である。インタフェース部１２は、シリアルインタフェースやパラレルインタフェースなどの有線で屋内親機２０と接続したり、無線で屋内親機２０と接続することが可能であるが、カメラ４の撮像データを送信するためには高速なインタフェースとするのが望ましい。
【００１７】
音声出力制御部１３は、主制御部１６から出力される音声データに基づいてスピーカ６を鳴動させる機能を備えている。音声入力制御部１４は、マイク５から入力された来訪者の音声信号を音声データに変換して主制御部１６に出力する機能を備えている。映像制御部１５は、カメラ４から入力された撮像データを主制御部１６へ出力する。主制御部１６は、記憶部１１に格納されたプログラムを実行することで、音声入力制御部１４からの音声データや、映像制御部１５からの撮像データをインタフェース部１２を介して屋内親機２０へ送信したり、インタフェース部１２を介して屋内親機２０から受信した音声データを音声出力制御部１３へ出力したりして、屋外子機１の全体を統括制御する。また屋内親機２０からの指示によりランプ７を点灯させる機能を備えている。
【００１８】
図４に示すように、屋外子機１は、スピーカ部１０１と、マイク部１０２と、カメラ部１０３と、ランプ部１０４と、ＲＯＭ（Ｒｅａｄ  Ｏｎｌｙ  Ｍｅｍｏｒｙ）１０５と、ＲＡＭ（Ｒａｎｄａｍ  Ａｃｃｅｓｓｓ  Ｍｅｍｏｒｙ）１０６と、ＣＰＵ（Ｃｅｎｔｒａｌ  Ｐｒｏｃｅｓｓｉｎｇ  Ｕｎｉｔ）部１０７とで構成される。スピーカ部１０１は、スピーカ６と音声出力制御部１３とを含み、デジタルの音声データをアナログである音声信号に変換してスピーカ６を鳴動させる。マイク部１０２は、マイク５と音声入力制御部１４とを含み、来訪者が発声した音声を入力して、アナログの音声信号をデジタルの音声データに変換する。カメラ部１０３は、カメラ４と映像制御部１５とを含み、来訪者の姿をカメラ４が撮像してデジタルの撮像データとして出力する。
【００１９】
ランプ部１０４は、ランプ７と、ＣＰＵ部１０７から点灯、点滅または消灯が制御される駆動回路とを含んでいる。ＲＯＭ１０５は、不揮発性メモリでありＣＰＵ部１０７が実行するプログラムが格納されている。また、ＲＯＭ１０５は、このプログラムが参照する各種設定も格納されている。ＲＡＭ１０６は、揮発性のメモリであり、ＣＰＵ部１０７から読み書き可能である。ＣＰＵ部１０７が実行するプログラムの作業領域として使用される。ＣＰＵ部１０７は、マイクロプロセッサとそのタイミングを制御する回路とを備えている、また、屋内親機２０と通信するためのインタフェース部１２をも含んでいる。ＣＰＵ部１０７は、ＲＯＭ１０５のプログラムを実行することで、音声データをスピーカ部１０１へ出力したり、マイク部１０２からの音声データやカメラ部１０３の撮像データを入力したりする。ＲＯＭ１０５と、ＲＡＭ１０６と、ＣＰＵ部１０７とで、図２に示す主制御部１６およびインタフェース部１２を構成している。
【００２０】
次に、本発明の実施の形態に係るドアホン装置の屋内親機２０の構成について図５から図７に基づいて説明する。図５は、本発明の実施の形態に係るドアホン装置の屋内親機２０の外観図である。図６は、本発明の実施の形態に係るドアホン装置の屋内親機２０の機能ブロック図である。図７は、本発明の実施の形態に係るドアホン装置の屋内親機２０の回路ブロック図である。
【００２１】
図５に示すように、屋内親機２０は、ケース２１が正面視して矩形状に形成され、居住者が押下することで来訪者に応答する応答ボタン２２ａと、設定を行うときに操作する各種の操作ボタン２２ｂとを有する入力部２２と、居住者の音声を入力するマイク２３と、来訪者の音声を発声するスピーカ２４と、来訪者の映像を表示したり各種設定を行ったりする表示部２５とを備えている。
【００２２】
図６に示すように、屋内親機２０は、インタフェース部３１と、音声記憶部３２と、記憶部３３と、入力制御部３４と、音声出力制御部３５と、音声入力制御部３６と、映像制御部３７と、表示制御部３８と、音声認識部３９と、通信部４０と、主制御部４１とを備えている。インタフェース部３１は、屋外子機１のインタフェース部１２と通信可能なインタフェースであり、屋外子機１へ居住者の音声データを送信したり、来訪者からの音声データを受信したりする通信手段である。音声記憶部３２は、主制御部４１からの指示により来訪者からの音声データを格納する記憶手段である。この音声記憶部３２は、揮発性メモリとすることができるが停電しても来訪者からの音声データを残すためにはフラッシュメモリなどの読み書き可能な不揮発性メモリとするのが望ましい。
【００２３】
記憶部３３は、主制御部４１が実行するプログラムの設定や、音声ガイダンスが格納される不揮発性メモリと、このプログラムが作業領域として主制御部４１から読み書き可能なメモリとで構成されている。入力制御部３４は、入力部２２の応答ボタン２２ａと、操作ボタン２２ｂとの状態を監視してボタンの押下を検知し、その種類を主制御部４１に通知する機能を有している。
【００２４】
音声出力制御部３５は、主制御部４１から出力される音声データに基づいてスピーカ２４を鳴動させる機能を備えている。音声入力制御部３６は、マイク２３から入力された居住者の音声信号を音声データに変換して主制御部４１に出力する機能を備えている。
【００２５】
映像制御部３７は、主制御部４１から出力された撮像データを表示部２５に表示する機能を備えている。
【００２６】
表示制御部３８は、主制御部４１から出力された設定画面などの表示データに基づいて表示部２５に表示する機能を備えている。音声認識部３９は、主制御部４１から入力された音声データを文字データとして出力する機能を備えている。
【００２７】
通信部４０は、電話装置５０と通信する機能を有する通信手段である。通信部４０は、ＵＳＢ（Ｕｎｉｖｅｒｓａｌ  Ｓｅｒｉａｌ  Ｂｕｓ）や、ＬＡＮ（Ｌｏｃａｌ  Ａｒｅａ  Ｎｅｔｗｏｒｋ）とした場合には１００ＢＡＳＥ−Ｔや、他のシリアルインタフェースとしたり、双方向パラレルインタフェースなどとすることも可能である。
【００２８】
主制御部４１は、記憶部３３に格納されたプログラムを実行することで、音声入力制御部３６からの音声データをインタフェース部３１を介して屋外子機１へ送信したり、屋外子機１からの撮像データや音声データをインタフェース部３１を介して受信して、撮像データは映像制御部３７へ出力して表示部２５へ表示し、音声データは音声出力制御部３５へ出力してスピーカ２４から発声させたりする。また、主制御部４１は、記憶部３３に格納された音声ガイダンスを読み込みインタフェース部３１を介して屋外子機１へ送信する機能を有している。また、主制御部４１は、留守モードのときは屋外子機１からの音声データを音声記憶部３２に格納する。更に主制御部４１は電話装置５０と通信をして、音声記憶部３２に格納された音声データを電話装置５０へ送信する機能を有している。このように主制御部４１は、屋内親機２０の全体を統括制御している。
【００２９】
図７に示すように、屋内親機２０は、スピーカ部２０１と、マイク部２０２と、ＬＣＤ（Ｌｉｑｕｉｄ  Ｃｒｙｓｔａｌ  Ｄｉｓｐｌａｙ）部２０３と、ボタン部２０４と、ＲＯＭ２０５と、ＲＡＭ２０６と、ＣＰＵ部２０７とで構成される。スピーカ部２０１は、スピーカ２４と音声出力制御部３５とを含み、デジタルの音声データをアナログである音声信号に変換してスピーカ２４を鳴動させる。マイク部２０２は、マイク２３と音声入力制御部３６とを含み、居住者が発声した音声を入力して、アナログの音声信号をデジタルの音声データに変換する。ＬＣＤ部２０３は、表示部２５と、映像制御部３７と、表示制御部３８とを含み、来訪者の映像を表示したり、設定画面などを表示したりする。本実施の形態では表示部２５の表示画面としてＬＣＤを採用したが、映像や文字情報が表示可能であれば他のデバイスを使用することも可能である。ボタン部２０４は、応答ボタン２２ａや、各種の操作ボタン２２ｂとを有する入力部２２と、入力制御部３４とを含み、居住者が入力したボタンの情報を出力する。
【００３０】
ＲＯＭ２０５は、不揮発性メモリでありＣＰＵ部２０７が実行するプログラムが格納されている。また、ＲＯＭ２０５は、このプログラムが参照する各種設定や、来訪者が屋外子機１の呼び出しボタン３を押下した際に発声される音声ガイダンスや、音声蓄積開始の際の音声ガイダンスなども格納されている。更にＲＯＭ２０５は、来訪者のメッセージを格納する音声記憶部３２としても機能する。ＲＡＭ２０６は、揮発性のメモリであり、ＣＰＵ部２０７から読み書き可能である。ＣＰＵ部２０７が実行するプログラムの作業領域として使用される。ＣＰＵ部２０７は、マイクロプロセッサとそのタイミングを制御する回路とを備えている。また、屋外子機１と通信するためのインタフェース部３１や電話装置５０と通信する通信部４０をも含んでいる。ＣＰＵ部２０７は、ＲＯＭ２０５のプログラムを実行することで、音声データをスピーカ部２０１へ出力したり、マイク部２０２からの音声データを入力したり、ＬＣＤ部２０３へ表示データを出力したりする。またＲＯＭ２０５のプログラムを実行することで音声認識部３９としても機能する。
【００３１】
ＲＯＭ２０５と、ＲＡＭ２０６と、ＣＰＵ部２０７とで、図５に示す主制御部４１およびインタフェース部３１および通信部４０を構成している。次に、本発明の実施の形態に係る電話装置５０を図８に基づいて説明する。図８は、本発明の実施の形態に係る電話装置５０の構成を説明する図である。
【００３２】
図８に示すように、電話装置５０は、電話回線Ｔと接続される回線インタフェース部（回線Ｉ／Ｆ部）５１と、変復調部５２と、着信応答検出部５３と、原稿読取部５４と、印刷部５５と、音声蓄積部５６と、キー操作部５７と、表示部５８と、通信部５９と、制御部６０とを備えている。なお、図８においては、音声を入力したり、音声を出力したりする受話器は図示していない。回線インタフェース部５１は、２線式の電話回線Ｔの信号を送信信号および受信信号に変換する機能を備えている。変復調部５２は、制御部６０からの音声信号や、原稿読取部５４からのイメージ信号を電話回線へ送信する場合には信号を変調して回線インタフェース部５１へ出力し、電話回線から音声信号や、相手ファクシミリからのイメージ信号を受信する場合には信号を復調して制御部６０や、印刷部５５へ出力する。
【００３３】
着信応答検出部５３は、電話回線Ｔからの着信を検出したり、発信したときに通話相手の応答を検出したりして、制御部６０へ通知する。原稿読取部５４は、ファクシミリ送信する原稿を読み取りイメージデータを生成して変復調部５２へ出力する。印刷部５５は、変復調部５２からのファクシミリのイメージデータを入力して、用紙媒体に印刷する。音声蓄積部５６は、制御部６０から出力された音声データを蓄積する記憶手段である。この音声蓄積部５６は、揮発性メモリとすることができるが停電しても来訪者からの音声データを残すためにはフラッシュメモリなどの読み書き可能な不揮発性メモリとするのが望ましい。
【００３４】
キー操作部５７は、電話を発信する際に相手先電話番号を入力する数字キーと、各種設定や、表示部５８での表示の操作を行うカーソルキーなどの機能キーとを備えている。表示部５８は、ＬＣＤなどが使用でき、発信先電話番号やドアホン装置の屋内親機２０からの文字データなどを表示したり、イメージデータなどを表示したりする表示手段である。
【００３５】
通信部５９は、ドアホン装置の屋内親機２０と通信するための通信手段である。制御部６０は、電話装置５０を統括制御する制御手段である。キー操作部５７の操作により留守モード状態であるときには、電話回線Ｔからの通話は、音声蓄積部５６に音声データが蓄積される。また制御部６０は、ドアホン装置の屋内親機２０から通信部５９を介して受信される音声データを、留守モードや通常モードに関わりなく音声蓄積部５６に蓄積する機能を備えている。
【００３６】
更に、制御部６０は、ドアホン装置の屋内親機２０からの所定の機能が動作中であるか否かを問い合わせる問い合わせ通知があると、動作の状況を判定して、屋内親機２０へ応答する機能も備えている。この所定の機能とは、例えば電話装置５０が留守モードで、電話回線Ｔから着信があり、通話相手からのメッセージを音声蓄積部５６に蓄積中であるとか、電話装置５０の動作設定を行っている設定モードを実行しているとか、原稿の読み取りを原稿読取部５４が行っていて制御部６０の負荷が高い状態であるなど、ドアホン装置の屋内親機２０からの音声データの受信が困難となるような機能を指す。
【００３７】
以上のように構成される本発明の実施の形態に係るドアホン装置および電話装置の動作を図９から図１１に基づいて説明する。図９は、本発明の実施の形態に係るドアホン装置および電話装置の動作を説明するフローチャートである。図１０は、音声蓄積部に蓄積された来訪者のメッセージの一例を示す図である。図１１は、表示部に表示されるメッセージの一覧の例を示す図である。
【００３８】
図９に示すように、来訪者の訪問があり、屋外子機１の呼び出しボタン３を押下する。呼び出しボタン３の押下を押下検出部１０が検知すると主制御部１６へ通知する。呼び出しボタン３の押下の通知を受けた主制御部１６は、インタフェース部１２を介して屋内親機２０へ通知する。呼び出しボタン３の押下の通知をインタフェース部３１を介して主制御部４１が受信すると、主制御部４１は通常モードであれば音声出力制御部３５を介してスピーカ２４からチャイムを鳴動させる。しかし、例えば居住者が留守で、入力部２２を操作して留守モードとしている場合では、「お客さまの映像と声でお呼び出しいたしますので、マイクに向かって名前と用件をお願いします。」というように、来訪者に発声を促すような内容の音声ガイダンスを屋外子機１へ送信する。屋外子機１では、この音声ガイダンスを受信した主制御部１６は、音声出力制御部１３を介してスピーカ６から来訪者に対して音声ガイダンスを鳴らす。来訪者は、この音声ガイダンスにより屋外子機１のマイク５に向かってメッセージを発声する。来訪者のメッセージはマイク５から入力され、音声入力制御部１４から音声データとして主制御部１６へ出力される。主制御部１６は、この音声データを屋内親機２０へ送信する。屋内親機２０は、屋外子機１から受信した音声データを音声記憶部３２に格納する。そして主制御部４１は、この音声データを音声認識部３９により文字データに変換し、音声記憶部３２に、音声データと関連付けて格納する。また主制御部４１は、音声データを格納するときに、電話回線Ｔからの他の音声データと識別するために識別音声を音声データに含めて格納する。
【００３９】
この識別音声とは、例えば「ドアホンからの音声です。」や、「ピー」等の電話装置５０では使用しない音声とすることができる。識別音声を音声データに含む場合には、音声データの先頭に追加する。それは音声データを再生したときに、居住者に来訪者のメッセージなのか、電話回線Ｔからのメッセージなのかが最初の数秒で把握することが可能となるからである（Ｓ１０）。
【００４０】
屋内親機２０の主制御部４１は、来訪者がメッセージを言い終える程度の時間を待って、次の音声ガイダンスを屋外子機１へ送信する。この音声ガイダンスは、例えば「申し訳ありませんが、手が離せないので、またの訪問をお願いします。」のように来訪者へ居住者が対応ができない旨の内容であれば他の音声ガイダンスとしてもよいが、防犯上留守ということが悟られない方が望ましい。
【００４１】
そして、屋内親機２０の主制御部４１は、所定の機能が動作中であるか否かを問い合わせる問い合わせ通知を電話装置５０へ送信する。電話装置５０では、問い合わせ通知を受信すると制御部６０は、現在実行中の状態がドアホン装置の屋内親機２０から音声データを受信可能か否かを判定して、その応答を屋内親機２０へ送信する。電話装置５０からの応答があると、問い合わせ通知の応答が作動中である旨の通知であればＳ３０へ移行する（Ｓ２０）。
【００４２】
Ｓ３０では、現在、電話装置５０はドアホン装置の屋内親機２０からの音声データの受信が困難となるような機能を実行中であるので、問い合わせ通知をすぐに再送信すると、その応答だけでも電話装置５０の負荷を更に上げることになり、音声データの送信が更に遅延する結果となる。従って、主制御部４１は、しばらく音声記憶部３２に音声データを格納した状態で待機をしてから、Ｓ２０へ移行し問い合わせ通知を再送信する。
【００４３】
Ｓ２０での問い合わせ通知の応答が、非作動中である旨の通知であれば電話装置５０は、ドアホン装置の屋内親機２０から音声データを受信可能な状態ということを示しているので、主制御部４１は音声記憶部３２に格納された音声データを読み込み、通信部４０を介して電話装置５０へ送信する。この音声データを送信するときには、Ｓ１０で音声データ含めた識別音声と、音声データに関連付けた文字データとに合わせて、ドアホン装置からの音声データであることを示す識別データを付加してメッセージデータとして送信する。主制御部４１は、この識別データを送信するときは、音声データのヘッダ情報として送信する（Ｓ４０）。
【００４４】
電話装置５０は、通信部５９を介してメッセージデータを受信すると、音声蓄積部５６に蓄積する（Ｓ５０）。この音声蓄積部５６に蓄積された来訪者のメッセージの一例を図１０に示す。
【００４５】
図１０に示すように、ヘッダ情報として識別データ「Ｄ００１」と「Ｄ００２」とが格納されており、それぞれ「Ｄ００１」や「Ｄ００２」には音声データを文字データとした情報が対応付けられて格納されている。またこのヘッダ情報には、図示しない音声データと識別音声とが関連付けられて格納されている。つまり、電話装置５０にて「Ｄ００１」の音声データを再生すると、まず識別音声「ピー」が再生され、引き続いて「鈴木でございます。また伺います。」が再生されることなる。
【００４６】
そして、居住者が帰宅したときに、電話装置５０のキー操作部５７を操作して表示部５８に電話装置５０の音声蓄積部５６に蓄積されたメッセージデータを表示させる（Ｓ６０）。この表示部５８に表示されるメッセージの一覧の例を図１１に示す。
【００４７】
図１１に示すように、表示部５８には、まず３月１５日１０時２５分に山田太郎から着信があったことが表示されている。これは、例えば発信元電話番号を通知するサービスを利用し、予め電話装置５０に登録されている電話番号と照合することで、発信元の名前を割り出したものである。次に３月１５日１１時８分にドアホン装置から送信されたメッセージが表示されている。これはヘッダ情報として「Ｄ００１」が音声データおよび文字データに付加させていることから制御部６０が判別して表示している。またドアホン装置からのメッセージであるので名前は不明である。また、文字データは、そのまま文字情報として表示することができるので、来訪者からのメッセージの内容が視覚的に理解することができる。また、印刷部５５で印刷すれば来訪者のメッセージを保存することも可能である。このように、電話装置５０が、ドアホン装置からの音声データを受信することができない状態であった場合など、ドアホン装置と電話装置５０とが通信を行いながら音声データの送信を行うことで、ドアホン装置から音声データを確実に受信することが可能となるので、電話回線Ｔからの着信と、来訪者から訪問とが重なっても、大事なメッセージを残すことが可能である。
【００４８】
以上、本発明の実施の形態について説明してきたが、本発明は前記実施の形態に限定されるものではなく、例えば、本実施の形態では、音声データに、他の音声データと識別する「ピー」などの音声データを含むようにし、更にドアホン装置からの音声データであることを示す識別データを付加するようにしたが、電話回線Ｔからのメッセージかドアホン装置からのメッセージからかが識別できればよいので、一方があれば他方は省略することが可能である。
【００４９】
また、本実施の形態に係るドアホン装置では、音声データから音声認識して文字データを生成して電話装置５０へ送信するようにしているが、ドアホン装置の屋内親機２０の制御が複雑になるようであれば省略することも可能である。更に電話装置５０に撮像データや静止画データを格納する記憶部を備えるようすれば、ドアホン装置の屋外子機１のカメラ４で撮像した撮像データを電話装置５０側で蓄積したり、静止画であれば印刷部５５で印刷することも可能である。
【産業上の利用可能性】
【００５０】
本発明は、通信装置がなんらかの機能を実行している最中に来訪者の訪問があっても、来訪者の大事なメッセージを残すことを可能なので、居住者からのメッセージを、接続可能な通信装置へ確実に蓄積させることが可能なドアホン装置に好適である。
【図面の簡単な説明】
【００５１】
【図１】本発明の実施の形態に係るドアホン装置と電話装置とが接続された構成を説明する図
【図２】本発明の実施の形態に係るドアホン装置の屋外子機の外観図
【図３】本発明の実施の形態に係るドアホン装置の屋外子機の機能ブロック図
【図４】本発明の実施の形態に係るドアホン装置の屋外子機の回路ブロック図
【図５】本発明の実施の形態に係るドアホン装置の屋内親機の外観図
【図６】本発明の実施の形態に係るドアホン装置の屋内親機の機能ブロック図
【図７】本発明の実施の形態に係るドアホン装置の屋内親機の回路ブロック図
【図８】本発明の実施の形態に係る電話装置の構成を説明する図
【図９】本発明の実施の形態に係るドアホン装置および電話装置の動作を説明するフローチャート
【図１０】音声蓄積部に蓄積された来訪者のメッセージの一例を示す図
【図１１】表示部に表示されるメッセージの一覧の例を示す図
【符号の説明】
【００５２】
１    屋外子機
２    ケース
３    呼び出しボタン
４    カメラ
５    マイク
６    スピーカ
７    ランプ
１０    押下検出部
１１    記憶部
１２    インタフェース部
１３    音声出力制御部
１４    音声入力制御部
１５    映像制御部
１６    主制御部
２０    屋内親機
２１    ケース
２２    入力部
２２ａ    応答ボタン
２２ｂ    操作ボタン
２３    マイク
２４    スピーカ
２５    表示部
３１    インタフェース部
３２    音声記憶部
３３    記憶部
３４    入力制御部
３５    音声出力制御部
３６    音声入力制御部
３７    映像制御部
３８    表示制御部
３９    音声認識部
４０    通信部
４１    主制御部
５０    電話装置
５１    回線インタフェース部
５２    変復調部
５３    着信応答検出部
５４    原稿読取部
５５    印刷部
５６    音声蓄積部
５７    キー操作部
５８    表示部
５９    通信部
６０    制御部
１０１    スピーカ部
１０２    マイク部
１０３    カメラ部
１０４    ランプ部
１０５    ＲＯＭ
１０６    ＲＡＭ
１０７    ＣＰＵ部
２０１    スピーカ部
２０２    マイク部
２０３    ＬＣＤ部
２０４    ボタン部
２０５    ＲＯＭ
２０６    ＲＡＭ
２０７    ＣＰＵ部
Ｃ    通信線
Ｔ    電話回線
【図１】
2006340040.tif 000003
【図２】
2006340040.tif 000004
【図３】
2006340040.tif 000005
【図４】
2006340040.tif 000006
【図５】
2006340040.tif 000007
【図６】
2006340040.tif 000008
【図７】
2006340040.tif 000009
【図８】
2006340040.tif 000010
【図９】
2006340040.tif 000011
【図１０】
2006340040.tif 000012
【図１１】
2006340040.tif 000013